(57)【要約】【課題】たとえ配線覆い用カバーが片下がりしたとしても、配線覆い用カバーを確実に閉じることができる電気機器収納用箱体を提供する。【解決手段】キャビネット本体１側に、上面から前方へ向かって徐々に下降傾斜するテーパ面１４Ａを備えた片下がり矯正部材３を設置した。そして、配線覆い用カバー２を閉方向へと回動させると、配線覆い用カバー２の折り曲げ部２Ａがテーパ面１４Ａに当接してテーパ面１４Ａ上を上方へ移動し、最終的に片下がり矯正部材３の上面上に乗り上がることにより、配線覆い用カバー２が片下がりしていない状態で閉じられるようにした。したがって、たとえ配線覆い用カバー２が片下がりしたとしても、配線覆い用カバー２を確実に閉じることができる。【選択図】図２
2015198511.tif 000002
【特許請求の範囲】
【請求項１】
電気機器を収納可能な箱体の内部に、前記電気機器の配線を覆うための矩形板状の配線覆い用カバーが、上下方向を軸とした片開き動作により開閉可能に蝶着された電気機器収納用箱体であって、
前記配線覆い用カバーの上縁に、後方へ折り曲げてなる折り曲げ部を設ける一方、
上面と、前記上面から一連に前方へ向かって下降傾斜するテーパ面とを有する片下がり矯正部材を、前記箱体側で、前記配線覆い用カバーを閉じた際に前記テーパ面と前記折り曲げ部とが対向する位置に設置し、
前記配線覆い用カバーの前記閉方向への回動に伴い、前記折り曲げ部が前記テーパ面に当接して前記テーパ面上を上方へ移動し、最終的に前記折り曲げ部が前記上面上に乗り上がって前記配線覆い用カバーが閉じられることを特徴とする電気機器収納用箱体。
【請求項２】
電気機器を収納可能な箱体の内部に、前記電気機器の配線を覆うための矩形板状の配線覆い用カバーが、上下方向を軸とした片開き動作により開閉可能に蝶着された電気機器収納用箱体であって、
前記配線覆い用カバーの上縁に、後方へ折り曲げてなる折り曲げ部を設け、前記折り曲げ部の下面側に、底面と、前記底面から一連に後方へ向かって上昇傾斜するテーパ面とを有するテーパ部材を設置する一方、
前方へ突出する凸部を備えた押し上げ部材を、前記箱体側で、前記配線覆い用カバーを閉じた際に前記凸部と前記テーパ面とが対向する位置に設置し、
前記配線覆い用カバーの前記閉方向への回動に伴い、前記凸部が前記テーパ面に当接して前記テーパ面上を相対的に下方へ移動することにより前記配線覆い用カバーを押し上げ、最終的に前記凸部上に前記テーパ部材の前記底面が乗り上がって前記配線覆い用カバーが閉じられることを特徴とする電気機器収納用箱体。
【発明の詳細な説明】
【技術分野】
【０００１】
本発明は、たとえば回路遮断器を収納する分電盤等に使用される電気機器収納用箱体に関するものである。
【背景技術】
【０００２】
従来、たとえば回路遮断器を収納する分電盤等に使用される電気機器収納用箱体には、収納される分電盤等から延びる配線を覆うための配線覆い用カバーが設けられている。そして、この配線覆い用カバーは、背面に対し上下方向を軸とした片開き動作により開閉可能に蝶着されている（たとえば特許文献１）。
【先行技術文献】
【特許文献】
【０００３】
【特許文献１】実用新案登録第２５８６１２５号公報
【発明の概要】
【発明が解決しようとする課題】
【０００４】
しかしながら、上述したように配線覆い用カバーを蝶着すると、自重等により蝶着されていない側が片下がりしてしまい、配線覆い用カバーを閉じることができなくなるといった問題が生じてしまう。
【０００５】
そこで、本発明は、上記問題に鑑みなされたものであって、たとえ配線覆い用カバーが片下がりしたとしても、配線覆い用カバーを確実に閉じることができる電気機器収納用箱体を提供しようとするものである。
【課題を解決するための手段】
【０００６】
上記目的を達成するために、本発明のうち請求項１に記載の発明は、電気機器を収納可能な箱体の内部に、前記電気機器の配線を覆うための矩形板状の配線覆い用カバーが、上下方向を軸とした片開き動作により開閉可能に蝶着された電気機器収納用箱体であって、前記配線覆い用カバーの上縁に、後方へ折り曲げてなる折り曲げ部を設ける一方、上面と、前記上面から一連に前方へ向かって下降傾斜するテーパ面とを有する片下がり矯正部材を、前記箱体側で、前記配線覆い用カバーを閉じた際に前記テーパ面と前記折り曲げ部とが対向する位置に設置し、前記配線覆い用カバーの前記閉方向への回動に伴い、前記折り曲げ部が前記テーパ面に当接して前記テーパ面上を上方へ移動し、最終的に前記折り曲げ部が前記上面上に乗り上がって前記配線覆い用カバーが閉じられることを特徴とする。
また、上記目的を達成するために、本発明のうち請求項２に記載の発明は、電気機器を収納可能な箱体の内部に、前記電気機器の配線を覆うための矩形板状の配線覆い用カバーが、上下方向を軸とした片開き動作により開閉可能に蝶着された電気機器収納用箱体であって、前記配線覆い用カバーの上縁に、後方へ折り曲げてなる折り曲げ部を設け、前記折り曲げ部の下面側に、底面と、前記底面から一連に後方へ向かって上昇傾斜するテーパ面とを有するテーパ部材を設置する一方、前方へ突出する凸部を備えた押し上げ部材を、前記箱体側で、前記配線覆い用カバーを閉じた際に前記凸部と前記テーパ面とが対向する位置に設置し、前記配線覆い用カバーの前記閉方向への回動に伴い、前記凸部が前記テーパ面に当接して前記テーパ面上を相対的に下方へ移動することにより前記配線覆い用カバーを押し上げ、最終的に前記凸部上に前記テーパ部材の前記底面が乗り上がって前記配線覆い用カバーが閉じられることを特徴とする。
【発明の効果】
【０００７】
本願請求項１に記載の発明によれば、配線覆い用カバーの上縁に、後方へ折り曲げてなる折り曲げ部を設ける一方、上面と、上面から一連に前方へ向かって下降傾斜するテーパ面とを有する片下がり矯正部材を、箱体側で、配線覆い用カバーを閉じた際にテーパ面と折り曲げ部とが対向する位置に設置し、配線覆い用カバーの閉方向への回動に伴い、折り曲げ部がテーパ面に当接してテーパ面上を上方へ移動し、最終的に折り曲げ部が上面上に乗り上がって配線覆い用カバーが閉じられるようになっている。したがって、たとえ配線覆い用カバーが片下がりしたとしても、当該配線覆い用カバーを確実に閉じることができる。
一方、本願請求項２に記載の発明によれば、配線覆い用カバーの上縁に、後方へ折り曲げてなる折り曲げ部を設け、折り曲げ部の下面側に、底面と、底面から一連に後方へ向かって上昇傾斜するテーパ面とを有するテーパ部材を設置する一方、前方へ突出する凸部を備えた押し上げ部材を、箱体側で、配線覆い用カバーを閉じた際に凸部とテーパ面とが対向する位置に設置し、配線覆い用カバーの閉方向への回動に伴い、凸部がテーパ面に当接してテーパ面上を相対的に下方へ移動することにより配線覆い用カバーを押し上げ、最終的に凸部上にテーパ部材の底面が乗り上がって配線覆い用カバーが閉じられるようになっている。したがって、請求項１に記載の発明同様、たとえ配線覆い用カバーが片下がりしたとしても、当該配線覆い用カバーを確実に閉じることができる。
【図面の簡単な説明】
【０００８】
【図１】キャビネット本体に対し片開き可能に蝶着された配線覆い用カバーを示した斜視説明図である。
【図２】図１の一部を拡大して示した説明図である。
【図３】片下がり矯正部材を示した斜視説明図である。
【図４】片下がり矯正部材を分解した状態を示した説明図である。
【図５】頭部の説明図であり、（ａ）は上面図、（ｂ）は垂直方向での断面図となっている。
【図６】片下がり矯正部材の変更例を示した斜視説明図である。
【図７】片下がり矯正部材の変更例を分解した状態を示した説明図である。
【図８】キャビネット本体に対し片開き可能に蝶着された配線覆い用カバーを示した斜視説明図である。
【図９】押し上げ部材を示した説明図であり、（ａ）は正面図、（ｂ）は右側面図、（ｃ）は下面図となっている。
【図１０】テーパ部材を示した説明図であり、（ａ）は下面図、（ｂ）は右側面図、（ｃ）は（ａ）中のＸ−Ｘ線断面説明図となっている。
【発明を実施するための形態】
【０００９】
以下、本発明の一実施形態となる電子機器収納用箱体（以下、キャビネットと称す）について、図面にもとづき詳細に説明する。
【００１０】
（第１実施例）
図１は、キャビネット本体１に対し片開き可能に蝶着された配線覆い用カバー２を示した斜視説明図である。図２は、図１の一部を拡大して示した説明図である。図３は、片下がり矯正部材３を示した斜視説明図である。図４は、片下がり矯正部材３を分解した状態を示した説明図である。図５は、頭部１１の説明図であり、（ａ）は上面図、（ｂ）は垂直方向での断面図となっている。
【００１１】
キャビネットは、背面部１Ａ、左右両側面部１Ｂ、１Ｂ、及び底面部１Ｃを有し、前面及び上面に開口する箱状のキャビネット本体１と、キャビネット本体１の上面開口を覆うように組み付けられる上面部材（図示せず）と、キャビネット本体１の前面開口を開閉可能に組み付けられる扉部材（図示せず）とを有している。また、キャビネット本体１の背面部１Ａには、上下方向に長い一対の支持部材４、４が左右で対向するように設置されている。さらに、右側の支持部材４に、配線覆い用カバー２が、上下方向を軸とした片開き動作により、キャビネット本体１の内部に収納される電気機器の配線を覆うための空間を開閉可能に蝶着されている。なお、配線覆い用カバー２は、上下方向に長い矩形金属板であって、上下左右縁には、後方への折り曲げ部が設けられている。
【００１２】
また、左側の支持部材４の上部に、本発明の要部となる片下がり矯正部材３が設置されている。片下がり矯正部材３は、配線覆い用カバー２を開いた際に配線覆い用カバー２の左側が右側に比べて自重等により片下がりしていたとしても、配線覆い用カバー２を閉じる際に配線覆い用カバー２の左側を片下がりしていない位置へ矯正するためのものであって、合成樹脂製の頭部１１と、頭部１１が固定される金属製の胴部１２とを有してなる。頭部１１は、下方へのみ開口して胴部１２の上端部に嵌め込み可能なキャップ状に形成された本体１３と、本体１３から前方へ一体的に突設されたテーパ部１４とを有している。そして、テーパ部１４の上面は、本体１３の上面から一連に前方へ向かうにつれて下降傾斜するテーパ面１４Ａとして形成されている。なお、本体１３の上面には、凹部１５が設けられており、凹部１５の底面には、頭部１１を胴部１２の上面部１２Ｃにネジ止めするためのネジ孔１６が設けられている。
【００１３】
一方、胴部１２は、金属板を折り曲げてなるもので、前面部１２Ａと、前面部１２Ａから後方へ折り曲げられた左右両側面部１２Ｂ、１２Ｂ及び上面部１２Ｃとを有している。そして、前面部１２Ａと、左右両側面部１２Ｂ、１２Ｂと、上面部１２Ｃとにより囲まれる空間には、図示しない永久磁石を収納可能となっている。また、左側面部１２Ｂには、外側（左側）へ突出する固定片１７が設けられており、固定片１７には、片下がり矯正部材３を支持部材４の固定部５に固定するための固定孔１８、１８が穿設されている。さらに、上面部１２Ｃには、頭部１１をネジ止めするためのネジ孔１９が穿設されている。
【００１４】
上記頭部１１と胴部１２とを有する片下がり矯正部材３は、永久磁石が収納された胴部１２に対し、テーパ部１４を前方へ向けた姿勢で本体１３の嵌め込み空間Ｓ１（図５（ｂ）に示す）内へ胴部１２の上端部を嵌め込み、ネジ１０により頭部１１と胴部１２とを一体化することにより組み立てられる。このようにして組み立てられた片下がり矯正部材３は、テーパ部１４が前方を向く姿勢で固定片１７を固定部５の前面に当接させ、固定片１７と固定部５とをネジ止め固定することにより、左側の支持部材４の上部に設置される。そして、この片下がり矯正部材３の設置位置は、配線覆い用カバー２を閉じた際にテーパ面１４Ａと配線覆い用カバー２の上縁に沿って形成された折り曲げ部２Ａの開放側とが対向しており、さらに本体１３の上面と配線覆い用カバー２の折り曲げ部２Ａの蝶着側とが上下方向で同じ高さとなる位置となっている。なお、組み立て状態において、頭部１１と胴部１２とを一体化するためのネジ１０のネジ頭は、凹部１５内に収納されている。
【００１５】
そして、上述の如く設置された片下がり矯正部材３は、配線覆い用カバー２を閉じる際に次のように作用する。つまり、配線覆い用カバー２を閉方向へと回動させると、まず、配線覆い用カバー２の折り曲げ部２Ａの後端がテーパ面１４Ａに当接する。そこで、さらに配線覆い用カバー２を閉方向へと回動させると、折り曲げ部２Ａの後端がテーパ面１４Ａ上を滑って上方へ移動する。そして最終的には、頭部１１の上面（本体１３の上面）上に折り曲げ部２Ａが乗り上がり、且つ、胴部１２の前面部１２Ａが配線覆い用カバー２の後面に吸着して、配線覆い用カバー２が片下がりしていない状態で閉じられることになる。
【００１６】
以上のような構成を有するキャビネットによれば、キャビネット本体１側で、上述したような位置に上面から前方へ向かって徐々に下降傾斜するテーパ面１４Ａを備えた片下がり矯正部材３を設置している。そして、配線覆い用カバー２を閉方向へと回動させると、配線覆い用カバー２の折り曲げ部２Ａがテーパ面１４Ａに当接してテーパ面１４Ａ上を上方へ移動し、最終的に片下がり矯正部材３の上面上に乗り上がることにより、配線覆い用カバー２が片下がりしていない状態で閉じられるようになっている。したがって、たとえ配線覆い用カバー２が片下がりしたとしても、配線覆い用カバー２を確実に閉じることができる。
【００１７】
また、片下がり矯正部材３の胴部１２に永久磁石を収納しており、配線覆い用カバー２を閉じた際に、胴部１２の前面部１２Ａが配線覆い用カバー２の後面に吸着するようになっている。したがって、配線覆い用カバー２を閉じた状態のまま維持することができるし、配線覆い用カバー２を閉じた状態のまま維持するための専用の部材を別途設置する必要のない合理的な構造とすることができる。
【００１８】
なお、片下がり矯正部材３に代えて、たとえば図６及び図７に示す片下がり矯正部材２０を採用することも可能である。片下がり矯正部材２０は、片下がり矯正部材３同様、合成樹脂製の頭部２１と、頭部２１が固定される金属製の胴部２２とを有してなる。頭部２１は、下方へのみ開口して胴部２２の上端部に嵌め込み可能なキャップ状に形成された本体２３と、本体２３から前方へ一体的に突設されたテーパ部２４とを有している。そして、テーパ部２４の上面は、本体２３の上面から一連に前方へ向かうにつれて下降傾斜するテーパ面２４Ａとして形成されている。ただ、頭部２１を胴部２２の上端部にネジ止めするためのネジ孔２６、２６は、本体２３の左右両側面に設けられている。
【００１９】
一方、胴部２２は、金属板を折り曲げてなるもので、前面部２２Ａと、前面部２２Ａから後方へ折り曲げられた左右両側面部２２Ｂ、２２Ｂとを有している。そして、前面部２２Ａと、左右両側面部２２Ｂ、２２Ｂとにより囲まれる空間Ｓ２には、片下がり矯正部材３同様、永久磁石を収納可能となっている。また、左側面部２２Ｂには、外側（左側）へ突出する固定片２７が設けられており、固定片２７には、片下がり矯正部材２０を支持部材４に固定するための固定孔２８、２８が穿設されている。さらに、左右両側面部２２Ｂ、２２Ｂの上端部に、頭部２１をネジ止めするためのネジ孔２９が夫々穿設されている。
【００２０】
上記片下がり矯正部材２０は、永久磁石が収納された胴部２２に対して頭部２１を嵌め込み、ネジ１０、１０により頭部２１と胴部２２とを一体化することにより組み立てられる。また、片下がり矯正部材３同様、左側の支持部材４の上部、すなわち配線覆い用カバー２を閉じた際にテーパ面２４Ａと配線覆い用カバー２の折り曲げ部２Ａの開放側とが対向しており、さらに本体２３の上面と配線覆い用カバー２の折り曲げ部２Ａの蝶着側とが上下方向で同じ高さとなる位置に設置される。
【００２１】
そして、このように片下がり矯正部材２０を設置したことで、配線覆い用カバー２を閉方向へと回動させた際、配線覆い用カバー２の折り曲げ部２Ａの後端がテーパ面２４Ａに当接し、そのままテーパ面２４Ａ上を滑って上方へ移動した後、最終的に、片下がり矯正部材２０の頭部２１の上面上に折り曲げ部２Ａが乗り上がり、且つ、胴部２２の前面部２２Ａが配線覆い用カバー２の後面に吸着して、配線覆い用カバー２が片下がりしていない状態で閉じられることになり、上記片下がり矯正部材３同様の効果を奏することができる。
【００２２】
（第２実施例）
図８は、キャビネット本体１に対し片開き可能に蝶着された配線覆い用カバー２を示した斜視説明図である。図９は、押し上げ部材３１を示した説明図であり、（ａ）は正面図、（ｂ）は右側面図、（ｃ）は下面図となっている。図１０は、テーパ部材３２を示した説明図であり、（ａ）は下面図、（ｂ）は右側面図、（ｃ）は（ａ）中のＸ−Ｘ線断面説明図となっている。なお、キャビネット本体１の構成については、第１実施例と同じであるため、同じ符号を付している。
【００２３】
上記第１実施例では、キャビネット本体１側にのみ設置する片下がり矯正部材３、２０について説明したが、キャビネット本体１側に設置する押し上げ部材３１と、配線覆い用カバー２側に設置するテーパ部材３２とからなる片下がり矯正部材で、配線覆い用カバー２の片下がりを矯正するように構成してもよい。
【００２４】
押し上げ部材３１は、金属板を折り曲げてなるもので、前面部３１Ａと、前面部３１Ａから後方へ折り曲げられた左側面部３１Ｂと、前面部３１Ａから前方へ折り曲げられているとともに先端を下方へ折り曲げられた上面部３１Ｃとを有している。そして、前面部３１Ａと、左側面部３１Ｂとにより囲まれる空間Ｓ３には、図示しない永久磁石を収納可能となっている。また、左側面部３１Ｂには、外側（左側）へ突出する固定片３３が設けられており、固定片３３には、押し上げ部材３１を支持部材４の固定部５に固定するための固定孔３４、３４が穿設されている。
【００２５】
テーパ部材３２は、合成樹脂により成形されてなるもので、配線覆い用カバー２の上縁に設けられた折り曲げ部２Ａに取り付けるための取付部３５と、取付部３５から後方へ一体的に突設されたテーパ部３６とを有している。そして、テーパ部３６の下面は、取付部３５の下面から一連に後方へ向かうにつれて上昇傾斜するテーパ面３６Ａとして形成されている。また、取付部３５の底面には、上方へ凹む凹部３７が設けられており、凹部３７の上面には、テーパ部材３２を折り曲げ部２Ａにネジ止めするためのネジ孔３８が設けられている。
【００２６】
上記押し上げ部材３１とテーパ部材３２とを有する片下がり矯正部材は、空間Ｓ３に永久磁石が収納された押し上げ部材３１を、上面部３１Ｃが前方へ突出する姿勢で固定片３３を固定部５の前面に当接させて両者をネジ止め固定する一方、テーパ部３６が後方へ突出し、且つ、テーパ面３６Ａが下方を向く姿勢でテーパ部材３２を折り曲げ部２Ａの下面側にネジ止め固定することにより、キャビネット本体１の内部に設置される。この設置状態においては、配線覆い用カバー２の開放側の上端部において押し上げ部材３１の上面部３１Ｃとテーパ部材３２のテーパ面３６Ａとが対向しているとともに、押し上げ部材３１の上面部３１Ｃの上面と配線覆い用カバー２の折り曲げ部２Ａの蝶着側とが上下方向で同じ高さとなる位置となっている。
【００２７】
そして、上述の如く設置された片下がり矯正部材は、配線覆い用カバー２を閉じる際に次のように作用する。つまり、配線覆い用カバー２を閉方向へと回動させると、まず、テーパ面３６Ａに押し上げ部材３１の上面部３１Ｃの先端部が当接する。そこで、さらに配線覆い用カバー２を閉方向へと回動させると、押し上げ部材３１の上面部３１Ｃがテーパ面３６Ａ上を相対的に下方へ移動する格好で、テーパ部材３２ひいては配線覆い用カバー２が上方へ押し上げられる。そして最終的には、テーパ部材３２の取付部３５の下面が押し上げ部材３１の上面部３１Ｃ上に乗り上がり、且つ、押し上げ部材３１の前面部３１Ａが配線覆い用カバー２の後面に吸着して、配線覆い用カバー２が片下がりしていない状態で閉じられることになる。
【００２８】
以上のような片下がり矯正部材が設置されたキャビネットによっても、片下がり矯正部材３や片下がり矯正部材２０が設置されたキャビネット同様、たとえ配線覆い用カバー２が片下がりしたとしても、配線覆い用カバー２を確実に閉じることができる。
また、押し上げ部材３１に収納された磁石によって、配線覆い用カバー２を閉じた状態のまま維持することができるし、配線覆い用カバー２を閉じた状態のまま維持するための専用の部材を別途設置する必要のない合理的な構造とすることができる。
【００２９】
なお、本発明に係るキャビネットは、上記実施形態の態様に何ら限定されるものではなく、キャビネットの全体的な構成は勿論、配線覆い用カバーに係る構成や片下がり矯正のための構成等についても、本発明の趣旨を逸脱しない範囲で、必要に応じて適宜変更することができる。
【００３０】
たとえば、上記実施形態では、右側を軸として配線覆い用カバーを片開き可能としているが、左側を軸として片開き可能としても何ら問題はない。
また、片下がり矯正部材とは別の部材に永久磁石を取り付けてもよく、たとえば配線覆い用カバーの後面に取り付けるといった構成も考えられる。
さらに、上記実施形態では、配線覆い用カバーの上縁に沿って一連の折り曲げ部を形成しているが、断続的な折り曲げ部を設けてもよいし、開放側にのみ折り曲げ部を設けても何ら問題はない。
【符号の説明】
【００３１】
１・・キャビネット本体（箱体）、２・・配線覆い用カバー、２Ａ・・折り曲げ部、３、２０・・片下がり矯正部材、１１、２１・・頭部、１２、２２・・胴部、１３、２３・・本体、１４、２４・・テーパ部、１４Ａ、２４Ａ・・テーパ面、３１・・押し上げ部材、３１Ｃ・・上面部（凸部）、３２・・テーパ部材、３６・・テーパ部、３６Ａ・・テーパ面。
【図１】
2015198511.tif 000003
【図２】
2015198511.tif 000004
【図３】
2015198511.tif 000005
【図４】
2015198511.tif 000006
【図５】
2015198511.tif 000007
【図６】
2015198511.tif 000008
【図７】
2015198511.tif 000009
【図８】
2015198511.tif 000010
【図９】
2015198511.tif 000011
【図１０】
2015198511.tif 000012